(57)【要約】【課題】電気温水器の通水検査時に作業がしやすく、上面ケースの材質を択べ、コストを抑えると共に、逃がし弁の組み立て性とメンテナンス性を良くする。【解決手段】加熱用ヒータを備えた貯湯タンクと、前記貯湯タンクに水を供給する給水口と、前記貯湯タンクから湯が供給される出湯口と、前記貯湯タンクからの膨張水を排出する膨張水排出口と、前記給水口に連通した配管より分岐されてあり水栓に接続される出水口と、前記貯湯タンクの側面の一面を構成する側面ケースと、背面と底面の２面を構成する背面ケースとを有する電気温水器において、前記給水口と前記出湯口と前記出水口と前記膨張水排出口とを一体に固定する固定部材を有するとともに、前記固定部材は前記側面ケースまたは背面ケースに固定されていることを特徴とする。【選択図】  図１
2004286357.tif 000002
【特許請求の範囲】
【請求項１】
加熱用ヒータを備えた貯湯タンクと、前記貯湯タンクに水を供給する給水口と、前記貯湯タンクから湯が供給される出湯口と、前記貯湯タンクからの膨張水を排出する膨張水排出口と、前記給水口に連通した配管より分岐されてあり水栓に接続される出水口と、前記貯湯タンクの側面の一面を構成する側面ケースと、背面と底面の２面を構成する背面ケースとを有する電気温水器において、前記給水口と前記出湯口と前記出水口と前記膨張水排出口とを一体に固定する固定部材を有するとともに、前記固定部材は前記側面ケースまたは背面ケースに固定されていることを特徴とする電気温水器。
【請求項２】
請求項１に記載の電気温水器において、前記出湯口に接続される配管と、前記配管に接続された逃し弁を有するとともに、前記固定部材は、前記逃し弁のダイヤフラムの一部が挿入できる挿入部を設けたことを特徴とする電気温水器。
【発明の詳細な説明】
【０００１】
【発明の属する技術分野】
本発明は、電気温水器に関するものである。
【０００２】
【従来の技術】
従来、器具上面のケースに接続口を直接固定した給湯装置（例えば、非特許文献１参照。）があった。
【０００３】
【非特許文献１】
“湯ぽっと即湯ユニット”、〔Ｏｎｌｉｎｅ〕、日本ユプロ株式会社〔平成１５年３月１４日検索〕、インターネット＜ｈｔｔｐ：／／ｗｗｗ．ｙｕｐｒｏ．ｃｏ．ｊｐ／ｙｋ／ｉｎｄｅｘ．ｈｔｍ＃ｐ４＞
【０００４】
【発明が解決しようとする課題】
しかし、従来の器具上面のケースに接続口を直接固定した給湯装置において、直方体のケースを製作する場合、ケースを重ねて効率よく輸送しコストを削減すると同時に部品点数を極力少なくし製造効率をアップさせる為、重ねて輸送できない３面以上が一体となったケースは製作せず、２面が一体となったケースを製作することが一般的となっていた。セットされる洗面器が複数台ある場合に洗面器の器具間ピッチを極力小さくし、施工条件を緩和するために電気温水器の短辺が正面となるように設置し、正面から電気温水器内部のメンテナンスを実施するために正面１面のケースを単独で分割し、正面からビス固定としていた。また、万が一内部で漏水した場合に器具正面から排水して使用者もしくは管理者が早期に発見して拡大被害に至るのを防止する為に、背面ケースと底面ケースの間の隙間から水が排出されないように背面ケースと底面ケースを一体としていた。従って、残るケースのうち２面が一体となる構成は、上面と一方の側面が一体となったケースとなり、もう一方の側面が単独で１面をなすケースとなっていた。
【０００５】
この構成の電気温水器の製造工程での通水検査において、接続口は器具上面のケースに直接固定されるため上面と一方の側面とさらにタンクが固定されている底面と背面をなす背面ケースが組立てられた器具上面のケースが取付けられた状態で検査を実施することとなり、上面ケースが邪魔になり漏水の確認が非常にしづらく、不具合を見逃す恐れがあった。また接続口を上面ケースに直接固定させるため、施工時に上面ケースにかかる荷重に耐えうる剛性を上面ケースに持たせる必要があり、上面ケースの材質が限られることやコストが高くなっていた。
【０００６】
また、逃し弁と給湯管の接続を袋ナットで固定し、逃し弁レバーの操作方向と袋ナットの回転方向が同一方向である電気温水器は、逃がし弁の作動確認のためレバーを操作した時、袋ナットが緩まないように逃し弁を専用の固定板で側面ケースに固定する必要があり、逃がし弁の固定の為だけに専用の固定板を使用するため、組み立て性やメンテナンス性が悪く、固定板分のコストが高い商品となっていた。
従って、本発明の目的は、電気温水器の通水検査時に作業がしやすく、不具合のある商品を市場に出さないようにすることと、剛性を上面ケースに持たせる必要がない構造とし、上面ケースの材質を択べ、コストを抑えると共に、逃がし弁の組み立て性とメンテナンス性を良くし、専用の固定板分のコストを削減することにある。
【０００７】
【課題を解決するための手段及びその作用・効果】
上記目的を達成するために請求項１は、加熱用ヒータを備えた貯湯タンクと、前記貯湯タンクに水を供給する給水口と、前記貯湯タンクから湯が供給される出湯口と、前記貯湯タンクからの膨張水を排出する膨張水排出口と、前記給水口に連通した配管より分岐されてあり水栓に接続される出水口と、前記貯湯タンクの側面の一面を構成する側面ケースと、背面と底面の２面を構成する背面ケースとを有する電気温水器において、前記給水口と前記出湯口と前記出水口と前記膨張水排出口とを一体に固定する固定部材を有するとともに、前記固定部材は前記側面ケースまたは背面ケースに固定したことによって、製造工程での通水検査において器具上面のケースを取付ける前に検査を実施することが出来、通水路の確認に支障なく万が一漏水があっても発見し易く、不具合を見逃すことがない。
【０００８】
請求項２は、請求項１に記載の電気温水器において、前記出湯口に接続される配管と、前記配管に接続された逃し弁を有するとともに、前記固定部材は、前記逃し弁のダイヤフラムの一部が挿入できる挿入部を設けたので、逃がし弁の固定の為だけに専用の固定板が必要なく、組み立て性やメンテナンス性が良く、固定板分のコストが削減できる。
【０００９】
【発明の実施の形態】
以下、本発明の実施の形態を、図面により詳細に説明する。
【００１０】
図１は、本発明の一実施形態に係わる請求項１に記載の電気温水器の内観斜視図である。
上記電気温水器は図示のように、電気温水器１内にタンク２を備え、タンク２内に加熱用ヒータ３を備えている。給水口４に接続された減圧弁５と、減圧弁からタンク２の下部と出水口６に接続される分岐管７と、タンク２上部と出湯口８に接続される給湯管９と、給湯管９に接続される逃し弁１０と、逃し弁１０と膨張水排出口１１に接続される排水チューブ１２と、電気温水器１の背面と底面を形成する背面ケース１３と右側面となる側面ケース１４と上面と左側面となる上面ケース１５と正面となる前面パネル１６と給水口４、出水口６、出湯口８、膨張水排出口１１の各接続口が固定される固定板１７で構成されている。
【００１１】
給水口４、出水口６、出湯口８、膨張水排出口１１は固定板１７に設けられた穴に固定板１７の下から挿入され、各接続口のフランジに設けられたビス穴に固定板１７の上部よりビス固定される。また、固定板１７は側面ケース１４と背面ケース１３にビス固定される。上面ケース１５および前面パネル１６を取付ける前の状態で通水路は完成しており、電気温水器１の前面となる前面パネル１６と、上面と左側面となる上面ケース１５が無く、直方体をなす電気温水器１の３面が開放された状態で通水検査を行うことが可能なため、漏水の確認が非常に容易である。
【００１２】
また、上面ケース１５には各接続口を固定しないため、止水栓から電気温水器１へ給水、あるいは電気温水器１から水栓へ出水、出湯するための通水路となる連結管を接続する際にかかる荷重が上面ケース１５にはかからず、固定板１７にかかる。固定板１７は側面ケース１４と背面ケース１３にしっかりと固定されており、連結管接続時の荷重に耐える剛性を持っている。従って、上面ケース１５には連結管接続時の荷重に耐える剛性が必要なく、一般的に使用される金属板の場合板厚を薄くすることが可能であり、コストを抑えることができる。
また、荷重がかからないことにより樹脂ケースを採用して金属ケースでは難しい曲面形状で製作し意匠を向上させることや軽量化を図ることができる。
【００１３】
図２は本発明の一実施形態に係わる請求項２に記載の電気温水器の逃し弁まわりの通水部と固定板の取付け前の斜視図である。逃し弁１０と給湯管９との接続部が袋ナット１８で締結される構造であり、逃し弁レバー１９の操作によって逃し弁１０が回転し、袋ナット１８が緩まないように、固定板１７には切り欠き２０が設けられており、逃し弁１０のダイヤフラム固定用フランジ部２１が挿入できる構造となっている。
【００１４】
逃し弁レバー１９を操作した場合に逃し弁１０が回転する方向と同一方向に力が加わるが、ダイヤフラム固定用フランジ部２１と固定板１７の切欠き２０が接触し、逃し弁１０の回転が抑制されることから、逃し弁１０専用の固定板が不要となり、コストを抑えることができる。また、逃し弁１０のダイヤフラム固定用フランジ部２１は固定板１７の切り欠き２０に挿入しているだけで、締結等による固定をおこなっていないことから組立て、メンテナンスを容易に行うことができる。
【図面の簡単な説明】
【図１】本発明の一実施形態に係わる請求項１に記載の電気温水器の内観斜視図
【図２】本発明の一実施形態に係わる請求項２に記載の電気温水器の逃し弁まわりの通水部と固定板の取付け前の斜視図
【符号の説明】
４・・・給水口
６・・・出水口
８・・・出湯口
９・・・給湯管
１０・・・逃し弁
１１・・・膨張水排出口
１３・・・背面ケース
１４・・・側面ケース
１５・・・上面ケース
１６・・・前面パネル
１７・・・固定板
１８・・・袋ナット
１９・・・逃し弁レバー
２０・・・切り欠き
２１・・・ダイヤフラム固定用フランジ部
【図１】
2004286357.tif 000003
【図２】
2004286357.tif 000004